(57)【特許請求の範囲】
【請求項１】
表示装置において、
外部映像機器から映像情報を無線により受信可能な第１の無線通信部と、ネットワークと無線により接続が可能な第２の無線通信部と、前記第１の無線通信部及び前記第２の無線通信部の、それぞれの無線伝送による接続割り当てを制御するための制御部と、を備え、
前記制御部は、前記第１の無線通信部の接続割り当てを前記第２の無線通信部よりも優先するように制御するとともに、前記第１の無線通信部と前記第２の無線通信部で使用する周波数帯域及び変調／復調方式を互いに異ならせるように制御することを特徴とする表示装置。
【請求項２】
請求項１に記載の表示装置において、前記第２の無線通信部は、前記ネットワークとしてインターネットと接続可能であり、前記制御部は、前記第１の無線通信部によって前記外部映像機器から無線により映像情報を受信すると同時に、前記第２の無線通信部によって前記インターネットと無線により通信可能となるように制御することを特徴とする表示装置。
【請求項３】
請求項１に記載の表示装置において、前記制御部は、前記第１の無線通信部と前記外部映像機器との伝送量と、前記第２の無線通信部と前記ネットワークとの伝送量との割り当てを制御することを特徴とする表示装置。
【請求項４】
請求項３に記載の表示装置において、前記制御部は、前記第１の無線通信部と前記外部映像機器との伝送量を、前記第２の無線通信部と前記ネットワークとの伝送量よりも大きくするように制御する表示装置。
【請求項５】
請求項１に記載の表示装置において、更に、伝送路の状態を検出する検出部を更に備え、該検出部の検出結果に応じて前記第１または第２の無線通信部における変調方法が制御されることを特徴とする表示装置。
【請求項６】
映像機器において、
外部の表示装置に対し映像情報を無線により送信可能な第１の無線通信部と、ネットワークと無線により接続が可能な第２の無線通信部と、前記第１の無線通信部及び前記第２の無線通信部の、それぞれの無線伝送による接続割り当てを制御するための制御部と、を備え、
前記制御部は、前記第１の無線通信部の接続割り当てを前記第２の無線通信部よりも優先するように制御するとともに、前記第１の無線通信部と前記第２の無線通信部で使用する周波数帯域及び変調／復調方式を互いに異ならせるように制御することを特徴とする映像機器。
【請求項７】
請求項６に記載の映像機器において、前記第２の無線通信部は、前記ネットワークとしてインターネットと接続可能であり、前記制御部は、前記第１の無線通信部によって前記外部表示装置に無線により映像情報を送信すると同時に、前記第２の無線通信部によって前記インターネットと無線により通信可能となるように制御することを特徴とする映像機器。
【請求項８】
請求項６に記載の映像機器において、前記制御部は、前記第１の無線通信部と前記表示装置との伝送容量と、前記第２の無線通信部と前記ネットワークとの伝送容量との割り当てを制御することを特徴とする映像機器。
【請求項９】
請求項８に記載の映像機器において、前記制御部は、前記第１の無線通信部と前記表示装置との伝送容量を、前記第２の無線通信部と前記ネットワークとの伝送容量よりも大きくするように制御する映像機器。
【請求項１０】
請求項６に記載の映像機器において、更に、伝送路の状態を検出する検出部を更に備え、該検出部の検出結果に応じて前記第１または第２の無線通信部における変調方法が制御されることを特徴とする映像機器。
【発明の詳細な説明】
【技術分野】
【０００１】
本発明は、無線により複数の機器間及びネットワークとの接続を行うための技術に関するものである。
【背景技術】
【０００２】
映像機器と、他の映像機器である映像表示装置とを接続して映像などを視聴するために、アナログ接続をして映像信号と音声信号を伝送する方法が用いられてきた。しかしながら、デジタル機器の普及に伴い、画質劣化防止の視点、著作権保護の視点から、デジタル接続をし、映像信号と音声信号とを暗号化して伝送する方法が用いられている。
【０００３】
デジタル伝送の一例として、ＨＤＭＩ方式が知られている。ＨＤＭＩ方式では、高精細映像信号のベースバンド信号と音声信号を時分割多重して、ＨＤＣＰと呼ばれる暗号化処理をして送信可能とするものである。
【０００４】
このような、デジタル化した映像信号と音声信号とを多重化して送信する従来技術としては、例えば下記特許文献１に開示されている。
【０００５】
【特許文献１】特開２００７−２０２１１５号公報
【発明の開示】
【発明が解決しようとする課題】
【０００６】
上記ＨＤＭＩ方式では、家庭内におかれた機器間の接続を前提にしており、高画質な映像情報を楽しみながらインターネットや家庭内ネットワークを接続することについての配慮がなされていなかった。本発明は、かかる課題に鑑みて為されたものである。そして本発明は、例えばカメラや携帯電話などの持ち運びが可能な映像機器で得られた高画質な映像を表示装置に表示させながら、インターネットや家庭内ネットワークなどとの通信を可能とするための技術を提供するものである。
【課題を解決するための手段】
【０００７】
本発明に係る表示装置は、外部映像機器から映像情報を無線により受信可能な第１の無線通信部と、ネットワークと無線により接続が可能な第２の無線通信部と、前記第１の無線通信部及び前記第２の無線通信部の、それぞれの無線伝送による接続割り当てを制御するための接続割り当て制御部とを備えることを特徴とする。この接続割り当て制御部は、前記第１の無線通信部の接続割り当てを優先するように制御するものであり、例えば、第１の無線通信部と前記外部映像機器との伝送量を、前記第２の無線通信部と前記ネットワークとの伝送量よりも大きくするものである。
【０００８】
また本発明に係る映像機器は、外部の表示装置に対し映像情報を無線により送信可能な第１の無線通信部と、ネットワークと無線により接続が可能な第２の無線通信部と、前記第１の無線通信部及び前記第２の無線通信部の、それぞれの無線伝送による接続割り当てを制御するための接続割り当て制御部とを備えることを特徴とする。この接続割り当て制御部は、前記第１の無線通信部の接続割り当てを優先するように制御するものであり、例えば、第１の無線通信部と前記表示装置との伝送量を、前記第２の無線通信部と前記ネットワークとの伝送量よりも大きくするものである。
【０００９】
上記構成の表示装置において、第１の無線通信部は、外部映像機器からの高画質な映像情報を無線により送受信することが可能である。また、第２の無線通信部は、インターネットや家庭内のネットワークなどと無線により接続することが可能である。制御部は、第１の無線通信部に割り当てる無線伝送手段の伝送量を制御するとともに、第２の無線通信部に割り当てる無線伝送手段の伝送量を可変とすることを可能にしている。そして制御部は、第１の無線通信部および第２の無線通信部に割り当てる無線伝送量を決定し制御することが可能である。この制御部は、外部映像機器から映像情報を受信する伝送を行う第１の無線通信部への割り当てを優先させるように制御するので、高画質な映像情報が途切れることなく、映像機器から映像情報装置へ伝送すると共に、インターネットや家庭内ネットワークからの情報を伝送することが可能なので、利便性に富む映像表示装置を提供することが可能となる。
【発明の効果】
【００１０】
本発明によれば、映像機器で得られた高画質な映像を表示しながら、ネットワークとの通信が可能となる。
【発明を実施するための最良の形態】
【００１１】
以下、本発明の好ましい実施の形態について、図面を用いて説明する。
【実施例１】
【００１２】
図１０は、本発明の第１の実施例を示している。図１０では、映像機器として例えば２つの映像機器を示している。一つは、携帯電話の基地局アンテナまたは放送送信タワーからのデジタル放送信号を受信可能な例えば可搬型の映像機器である映像機器１００、一つは、例えばチューナなどの、放送送信タワーからのデジタル放送信号を受信可能な映像表示装置２００である。映像機器１００と映像表示装置２００は例えば無線の双方向インタフェース１０で接続されている。これにより、各機器間において、高画質の映像信号やその他情報、信号の双方向通信を可能としている。一方、映像機器１００の端子１３４と、映像表示装置２００の端子２０２との間で、無線によりインターネットや家庭内ネットワーク通信などの信号の送受信を行う。この端子１０１と端子２０１との間の伝送で使用する周波数帯域と、端子１３４と端子２０２との間の伝送で使用する周波数帯域は、所定の周波数帯域に限定されており、電波資源の効率を高めると共に、他の機器との干渉などの問題を抑えている。
【００１３】
本実施例において、持ち運びのできる映像機器１００は、具体的にはデジタルカメラ、ビデオカメラ、携帯電話機、ゲーム機、パーソナルメディアプレーヤなどである。
【００１４】
図１は、本発明の第１の実施例で使用される映像機器１００の一具体例を示すものであって、図１２の映像機器１００の具体的な構成を示したものである。図１において、撮像装置１１０は、光学系を通して入力された動画や静止画画像を取り込み、電気信号に変換する。圧縮回路１１１は、動画を送出する場合には、例えばＭＰＥＧ２、ＭＰＥＧ４、ＡＶＣ／Ｈ．２６４などの圧縮方式を用い、また、静止画を送出する場合には、例えばＪＰＥＧなどの圧縮方式を用い、取り込んだ画像を効率よくビット圧縮する。
【００１５】
一方、マイク１１２は音声を電気信号に変換する。圧縮回路１１３は、例えばＭＰＥＧオーディオなどの圧縮方式を用い、取り込んだ音声信号を効率よくビット圧縮する。
【００１６】
多重回路１１６には圧縮回路１１１、１１３からのビット圧縮された映像信号、音声信号、さらには、マイクロプロセッサ１１５からの各種情報が入力される。多重回路１１６は、これらの情報を用いて所定のフォーマットに従い多重化処理を行う。静止画を撮影した場合には、通常は音声信号を取り込まないが、静止画撮影に合わせて音声信号を多重しても良い。
【００１７】
マイクロプロセッサ１１５からの各種情報としては、センサ１１４を使用した位置情報（横、右縦、左縦）、日付、撮影時の露出情報、その他などである。
【００１８】
図１で、多重回路１１６で多重された信号は暗号／暗号復号回路１４０を介して蓄積装置１３０に蓄積される。蓄積装置として、例えば、ハードディスク装置、光ディスク装置、半導体メモリ装置などを使用することが可能であり、どのような蓄積装置を用いるかは、所望の蓄積容量、大きさ、蓄積媒体の取り出しの容易性、価格などを考慮して決めれば良い。また、信号処理回路１２４、メモリインタフェース１２０を介してメモリ１２１に蓄積することもできる。
【００１９】
個人で撮影した情報に関しては、撮影した本人に著作権があるため、通常は、蓄積に際し、暗号化は不要である。しかし、蓄積装置１３０で蓄積した媒体を紛失する可能性もあるので、多重回路１１６の出力信号を暗号／暗号復号回路１４０で暗号化した後、蓄積装置１３０、あるいはメモリ１２１に蓄積することで、安全性を高めることができる。
【００２０】
映像機器１００が取り外しのできる（リムーバブル）メモリに対応している場合や、携帯電話機能や無線ＬＡＮ機能を有する場合もある。メモリインタフェース１２０はリムーバブルなメモリ１２１のインタフェースであり、他の機器で静止画や動画の映像、音声コンテンツをメモリ１２１に記録し、それをインタフェース１２０に接続することで信号処理回路１２４、暗号／暗号復号回路１４０を介して蓄積装置１３０に記録することができる。
【００２１】
この時、メモリ１２１に記録されたコンテンツが著作権保護されており、複製が制限されている否かを、信号処理回路１２４で検出し、条件に従って暗号／暗号復号回路１４０で暗号化して蓄積装置１３０に移動する。
【００２２】
同様に、静止画や動画の映像、音声コンテンツが無線インタフェース１２２で受信され、入力された場合にも、信号処理回路１２４、暗号／暗号復号回路１４０を介して蓄積装置１３０に記録される。この場合にも、コンテンツの著作権保護、複製制限の条件に従い、必要に応じて暗号／暗号復号回路１４０で暗号化する。
【００２３】
蓄積装置１３０に蓄積されたコンテンツを再生して視聴する場合には、図示しない入力キーやリモコンなどを用いて視聴したいコンテンツを選択し、選択されたコンテンツは蓄積装置１３０から読み出されて、暗号／暗号復号回路１４０で暗号を復号し、逆多重回路１４１で映像信号と音声信号に分離される。
【００２４】
また、放送受信機１８０で放送を受信した場合には、放送のための暗号を暗号／暗号復号回路１４０で解き、必要に応じ、蓄積のための暗号化処理を同じく暗号／暗号復号回路１４０で行って、蓄積装置１３０、メモリ１２１に記録する。受信放送を直接視聴する場合には逆多重回路１４１により映像信号と音声信号に分離する。
【００２５】
分離され圧縮された映像信号は伸張回路１４２で伸張され、信号処理回路１５０に入力される。信号処理回路１５０は、表示装置１６０の走査線に合わせて走査線変換を行い、表示装置１６０に出力する。また、分離され圧縮された音声信号は伸張回路１４３で伸張され、音声出力装置１６１に出力される。このように、映像機器１００は表示装置１６０と音声出力装置１６１を有するので、外部に映像表示装置を接続することなくそのまま視聴することも可能である。なお、映像信号と音声信号の伸張処理に要する時間の違い、走査線変換処理の有無などにより映像表示、音声出力などに時間差がある場合、特に、音声信号が映像信号に先行するとユーザに違和感を与えるので、例えば伸張処理内で音声信号の遅延処理を行い、いわゆるリップシンク合わせを行う。これにより、映像信号と音声信号のずれによる違和感をなくすことができる。
【００２６】
映像機器１００を携帯電話として使用する場合について説明する。例えば会話などの音声が音声入出力部１２５に入力され、これが電話信号処理回路１２５により所定の信号処理並びに変調処理が為されて図示しないアンテナにより携帯電話の基地局へ送信される。電話回線による受信も同様に、基地局から送信された音声は図示しないアンテナで受信され、これが電話信号処理回路１２５で所定の音声信号処理並びに復調処理が為された後に音声入出力部１２５供給され、音声として出力される。また、映像機器１００は、携帯電話の基地局から送信された動画などのコンテンツを受信することもできる。この場合、このコンテンツは、図示しないアンテナで受信され、電話信号処理回路１２５を経由して信号処理回路１２４へ供給される。その後、暗号／暗号復号処理回路１４０等において前述したような処理が施された後に、当該コンテンツを映像機器１００に内蔵した表示装置、音声出力装置で視聴することが可能となる。また、このように処理されたコンテンツを端子１０１、接続ケーブル１０、端子２０１を介して外部の映像表示装置２００で、大画面で視聴することもできる。さらには、コンテンツを視聴しながら、あるいは後でコンテンツを視聴するために、該コンテンツを映像機器１００に内蔵された蓄積媒体、あるいは映像機器１００に接続された蓄積媒体（例えば、メモリ１２１）に記録することもできる。メモリ１２１は映画などの記録のための記録媒体として使用することもできる。
【００２７】
同様に、放送送信タワーから放送された番組は、映像機器１００の放送受信機１８０で受信され、映像機器１００で視聴することもできるし、映像機器１００に内蔵された蓄積媒体（図示せず）、あるいは接続された蓄積媒体（例えば、メモリ１２１）に記録することもできる。さらに、端子１０１、接続ケーブル１０、端子２０１を介して映像表示装置２００で視聴することもできる。
【００２８】
さらにはまた、映像機器１００に撮像装置１１０、マイク１１２を搭載することで、音声とともに静止画、動画を撮影することができ、適宜内蔵された蓄積媒体（図示せず）やメモリ１２１に蓄積できる。内蔵された蓄積媒体やメモリ１２１に蓄積した映像、音声は端子１０１等を介して、映像表示装置２００で視聴できる。
【００２９】
映像信号及び音声信号を外部の映像表示装置２００で視聴する場合には、映像表示装置２００の対応可能な走査線を確認し、表示する映像信号の走査線と一致する場合にはそのまま出力し、異なる場合には、信号処理回路１５０において必要な走査線に変換した後、多重回路１７０により、信号処理回路１５１で処理した音声信号と時間軸多重を行う。信号処理回路１５１は映像信号のブランキング期間に相当する期間に音声信号を時間軸圧縮するとともに、必要に応じリップシンク合わせのための時間調整を行う。多重回路１７０により多重された映像信号と音声信号は、暗号回路１７１に入力される。暗号回路１７１は、映像機器１００と映像表示装置２００との間を伝送するために必要な暗号処理を行い、映像のインタフェース回路１３１、伝送量割り当て制御回路１００１、端子１０１を介して映像表示装置２００へ出力する。一方、端子１３４は、上述のようにインターネット等のネットワークと接続されており、ネットワークからの映像やその他情報を無線変復調回路１００３により無線通信する。ネットワークから取得された情報は、無線変復調回路１００３で復調され、伝送量割り当て制御回路１００１を介してインタフェース回路１３３に供給され、更にマイクロプロセッサ１５５へ供給される。マイクロプロセッサ１１５は、ネットワークからの情報の種類を識別子、例えば所定のフォーマットにより圧縮された映像ストリームであれば、それを逆多重回路１４１及び伸張回路１４３等に供給し、これらの回路で前述したような処理が為された後に表示装置１６０に表示される。また必要に応じて音声出力装置１６１からネットワークで取得した音声情報を出力する。更にまた、ネットワークから取得された情報がアプリケーションプログラム、ＯＳ等の更新プログラムであれば、マイクロプロセッサ１１５で新規ソフトウェアの追加、格納処理及び／またはプログラムの更新処理を行う。この実施例ではネットワーク情報に関する処理を、映像情報を処理するマイコン１１５で処理しているが、新たにネットワーク情報を処理するための専用マイコンを設けても良い。
【００３０】
ここで、制御回路１３２は、映像信号の時刻管理情報に対応させて、伝送量割り当て制御回路１００１を制御することにより無線変復調回路１００２の伝送量を可変制御する。また、これと同時にインターネット等のネットワークと無線により通信するための無線変復調回路１００３の伝送量も可変制御される。ここで、本実施例では、制御回路１３２は無線変復調回路１００１の伝送量を無線変復調回路１００２よりも優先的に割り当てするように、すなわち無線変復調回路１００１の伝送量を無線変復調回路１００２の伝送量よりも多く割り当てているので、限られた無線伝送のための帯域の範囲内において、無線変復調回路１００２は高画質な映像情報の映像品質をおとさずに映像情報を送出することができる。端子１０１から出力される無線信号の帯域と端子１３４から出力される無線信号の帯域は一定なので、端子１０１からの信号の帯域を拡大すると、端子１３４からの信号の帯域は減少することになり、ネットワークの通信の速度が若干おちることになる。しかしながら、ネットワークに使用する情報の交換は、映像機器１００から送信される映像情報に比べて少なく、ほとんど影響はない。
【００３１】
なお、端子１０１から出力した信号をその受信先で蓄積する場合には、圧縮された信号を伸張することなく出力する。この場合には、暗号／暗号復号回路１４０から圧縮された信号を暗号回路１７１に入力し、伝送に必要な暗号化を行った後、映像のインタフェース回路１３１、伝送量割り当て制御回路１００１、端子１０１を介して出力する。この場合にも、制御回路１３２は、映像信号の時刻管理情報に対応させて、無線変復調回路１００２の伝送量を可変する。このことにより、無線変復調回路１００２は高画質な映像情報の映像品質をおとさずに映像情報を送出することができる。
【００３２】
上記の説明では、撮像装置１１０、マイク１１２から取り込んだ映像信号、音声信号、ならびに、メモリ１２１、無線インタフェース１２２から入力されたコンテンツは、一度蓄積装置１３０に記録された後に、再生されるようにした。しかしながら、蓄積が不要な場合や、直接視聴する場合には暗号／暗号復号回路１４０での蓄積のための暗号化や暗号複合化処理を行うことなく逆多重回路１４１で処理を行えばよい。こうすることにより、映像機器１００に内蔵された表示装置１６０と音声出力装置１６１とを用いて、映像及び音声を視聴したり、有線のインタフェース回路１３１を介して外部に繋がれた受像機で視聴したりすることが可能になる。
【００３３】
ここで、本実施形態の特徴的要素である、伝送量割り当て制御回路１００１、無線変復調回路１００２、１００３について詳述する。無線変復調回路１００２及び１００３は、それぞれＯＦＤＭ（直交周波数分割多重）方式による変復調を行う回路である。この例では、無線復変調回路１００２は、外部の映像表示装置２００に対して映像情報及び音声情報を無線により送信し、外部の映像表示装置２００からデータや情報を無線により受信するための第１の無線通信部であり、映像表示装置２００との通信を行うインタフェース回路１３１と伝送量割り当て制御回路１００１を介して接続されている。一方、無線復変調回路１００３は、インターネットや家庭内ネットワーク等のネットワークと接続（アクセス）して映像や音声、その他データなどの各種情報を無線により送受信送信するための第２の無線通信部であり、ネットワーク用のインタフェース回路１３３と伝送量割り当て制御回路１００１を介して接続されている。伝送量割り当て制御回路１００１は、制御回路１３２からの制御信号に応じて無線復変調回路１００２及び無線復変調回路１００３のそれぞれの変復調方式、周波数帯域、およびキャリア本数を可変することにより、対応する伝送容量を可変するものである。すなわち制御回路１３２は、伝送量割り当て制御回路１００１を制御することによって、各無線復変調回路による無線伝送量の配分を制御する。上記変復調方式、周波数帯域などのパラメータを可変することによる伝送量の変化の具体例として、図９に２つの方式による伝送量の相違を示す。
【００３４】
本実施例は、制御回路１３２及び伝送量割り当て制御回路１００１によって、映像表示装置２００へ高画質な映像情報を無線により送信するための無線復変調回路１００２の無線伝送量を、ネットワークと接続して通信する無線復変調回路１００３の無線伝送量よりも優先して割り当てるように制御している。すなわち本実施例は、無線復変調回路１００２の無線伝送量を無線復変調回路１００３の無線伝送量よりも多くなるように割り当てているものである。例えば、無線復変調回路１００２が映像表示装置２００に対して映像情報を送信し、これと同時に無線復変調回路１００３がインターネットと接続してインターネット情報情報を受信している場合、制御回路１３２はユーザに対して高画質な映像を常時提供できるように、無線復変調回路１００２の伝送方式を例えば図９に示された「方式１」となるように制御する。一方、無線復変調回路４０３に対しては、図９に示された「方式２」でインターネットと接続するように制御する。図９から明らかなように、方式１の伝送容量は１７Ｍｂｐｓで、方式２の伝送容量（５Ｍｂｐｓ）の３倍以上の伝送量を有している。これによって本実施例は、無線伝送における限られた伝送容量を映像表示装置２００との通信に多く割り当てるようにしているため、映像表示装置１００に表示される映像を視聴しているユーザは、常時高画質な映像を視聴することが可能となる。当然、上記の伝送量の可変制御は、図９に示される例に限られるものではない。
【００３５】
ここで、制御回路１３２及び伝送量割り当て制御回路１００１による２つの無線復変調回路１００２、１００３に対する伝送量の可変制御は、ユーザの指示に応答して実行するようにしてもよい。例えば、無線復変調回路１００３で図９の方式１によりインターネットから情報を取得中に、ユーザから無線復変調回路１００２により映像情報を映像表示装置２００に無線伝送するように指示が為された場合、制御回路１３２は伝送量割り当て制御回路１００１に対して制御信号を出力し、無線復変調回路１００３を図９の方式１から方式２に変更するように制御するとともに、無線復変調回路１００２を図９の方式１で通信するように制御する。また、無線復変調回路１００２から映像表示装置２００へ伝送する映像情報の精細度に応じて無線復変調回路１００２の伝送量を可変制御するようにしてもよい。例えば無線復変調回路１００２から映像表示装置２００への映像情報の精細度がＳＤ（６４０×４８０）からＨＤ（１９８０×１０８０）に切り替わった場合、制御回路１３２は伝送量割り当て制御回路１００１を制御し、無線復変調回路１００２の伝送量を増加させるように可変制御する。このとき、無線復変調回路１００２の伝送量の可変制御に連動して、無線復変調回路１００３の伝送量を低下させるように可変制御することが好ましい。
【００３６】
上記無線復変調回路１００２、１００３の伝送量は、さらにＭＩＭＯ（多入力多出力）などの複数のアンテナを用いた通信技術を用いることにより可変制御することも可能である。
【００３７】
次に図４により、伝送量割り当て制御回路、無線変復調回路の他の例について説明する。図４は、伝送量割り当て制御に関係する部分についてのみ記載してあり、図１と同様の働きをする部分については、同じ記号を付している。
【００３８】
図４において、無線変復調回路５００１、５００２、５００３、５００４はそれぞれ固定の伝送容量をもつ変復調回路であり、伝送に用いる周波数帯域のみが異なるもので、それぞれ、図１１に示されるように帯域Ａ、帯域Ｂ、帯域Ｃ、帯域Ｄを有している。また、端子１０１、５００５〜５００７は、それぞれ信号の入力端子であり、無線変復調回路５００１〜５００４にそれぞれ対応して設けられている。これらの無線変復調回路５００１、５００２、５００３、５００４を組み合わせることで、例えば、ある場合は、映像情報の伝送として無線変復調回路５００１、５００２を用い、インターネットなどの通信には、無線変復調回路５００３、５００４をそれぞれ用いる。つまり、インタフェース回路１３１は無線変復調回路５００１、５００２を利用して映像表示装置２００へ映像、音声情報を無線にて伝送し、インタフェース回路１３３は無線変復調回路５００３、５００４を利用してネットワークとの通信を行う。更にまた、広い伝送帯域が求められる、高画質の映像情報（例えば解像度がＨＤの映像情報）を伝送する場合には、映像情報の伝送には、無線変復調回路５００１、５００２、５００３を割り当て、インターネットなどの通信には、無線変復調回路５００４のみを割り当てる。つまり、インタフェース回路１３１は無線変復調回路５００１〜５００３を利用して映像表示装置２００へ映像、音声情報を無線にて伝送し、インタフェース回路１３３は無線変復調回路５００４を利用してネットワークとの通信を行う。このようにすることで、高画質の映像情報を途切れさせることなく、伝送することが可能になると共に、インターネットとの通信も可能になるという効果がある。特に、放送信号は、放送局から送出する時間情報と、受信側の時間情報とを同期させて映出する必要があるが、本発明を用いれば、映像情報の品質を落とすことなく、時間情報も管理させることが可能である。
【００３９】
図２は、図１０に示す映像表示装置２００の具体的な構成を示したものである。同一部分には同一の符号を付し、その詳細は説明しない。図２において、端子２０１から入力された信号が、圧縮されていない動画のベースバンド信号である場合について説明する。端子２０１から入力された外部映像機器１００から伝送された信号は、無線変復調回路２０１５により復調され、伝送量割り当て制御回路２０１７、入出力インタフェース回路２０１１を介して暗号復号回路２１１に入力される。このとき、制御回路２０１３は、外部の映像機器１００から送られてきた映像情報の伝送量に対応して無線変復調回路２０１５の伝送量を可変制御するように、伝送量割り当て制御回路２０１７を制御する。このことにより、入出力インタフェース回路２０１１には、高画質な映像情報を設定された時刻通りの情報として受け取ることが可能である。
【００４０】
暗号復号回路２１１は、図１に示す暗号回路１７１の暗号化に対応しており、暗号回路１７１で暗号化されたものを暗号復号する。暗号復号された信号は逆多重回路２５０に入力され、映像信号と音声信号はそれぞれ信号処理回路２５１、２５２に入力される。信号処理回路２５１では、ディスプレイ２６０の表示可能な画素数に合わせて走査線変換、解像度変換を行う。信号処理回路２５２では、映像信号のブランキングに時間軸圧縮されて多重された音声信号の時間軸を伸張し、さらに、必要に応じ、リップシンク合わせ、音質調整などを行う。信号処理回路２５１、２５２の出力信号はそれぞれディスプレイ２６０、音声出力装置２７０に入力され、視聴される。
【００４１】
次に、端子２０１から圧縮された動画信号が入力された場合について説明する。圧縮された信号を入力する目的は、映像表示装置側２００に内蔵された蓄積装置２３０にその動画信号を蓄積することにある。
【００４２】
端子２０１から入力された信号は有線の入出力インタフェース回路２０１１を介して暗号復号回路２１１に入力される。暗号復号回路２１１は図２に示す暗号回路１７１の暗号化に対応しており、暗号回路１７１で暗号化されたものを暗号復号する。暗号復号された信号は暗号／暗号復号回路２４０に入力される。暗号／暗号復号回路２４０では、蓄積しようとするコンテンツのコピー制御情報を読み出し、それに応じて蓄積のための暗号化処理を行う。暗号化された信号は蓄積装置２３０に入力され圧縮されたまま蓄積される。
【００４３】
端子２０１より入力された圧縮された信号を蓄積しながら視聴する場合には、まず暗号復号回路２１１で暗号を解かれた圧縮信号に相当する信号が暗号／暗号復号回路２４０から逆多重回路２４１に入力される。続いて、逆多重回路２４１において、圧縮された映像信号と音声信号とに分離される。分離された映像及び音声信号は、それぞれ伸張回路２４２、２４３で伸張され、ベースバンドに戻された後、それぞれ信号処理回路２５１、２５２に入力される。以下同様にディスプレイ２６０、音声出力装置２７０に入力され視聴される。
【００４４】
蓄積装置２３０に蓄えられたコンテンツを再生して視聴する場合には、蓄積装置２３０に蓄えられているコンテンツのタイトルなどをディスプレイ２６０に表示して、選択し、選択したコンテンツの信号を蓄積装置２３０から暗号／暗号復号回路２４０に入力する。暗号／暗号復号回路２４０で選択コンテンツの信号の暗号を復号し、逆多重回路２４１に入力し、以下同様に処理することで視聴することができる。
【００４５】
同様にメモリ２２１に蓄積されたコンテンツの再生も行うことができる。蓄積装置２３０に蓄えられたコンテンツの再生と同様に、メモリ２２１に蓄えられたコンテンツから視聴したいコンテンツを選択し、選択したコンテンツをメモリインタフェース２２０、信号処理回路２２４を介して暗号／暗号復号回路２４０に入力する。信号処理回路２２４では、メモリ２２１からコンテンツを読み出すのに必要な処理を行い、圧縮され、多重された映像信号と音声信号を暗号／暗号復号回路２４０に入力する。後の信号処理は蓄積装置２３０からコンテンツを読み出した場合と同様である。
【００４６】
また、蓄積装置２３０に蓄積するのと同様に、メモリ２２１にコンテンツを蓄積することもできる。その場合の処理の詳細説明は省略するが、暗号／暗号復号回路２４０で暗号化されたコンテンツは信号処理回路２２４、メモリインタフェース２２０を介してメモリ２２１に蓄積される。
【００４７】
無線で送られてくるコンテンツを視聴したり、蓄積したりする場合も同様の処理を行う。無線で送られてきた圧縮されたコンテンツは無線インタフェース２２２、信号処理回路２２４を介して暗号／暗号復号回路２４０に入力される。暗号／暗号復号回路２４０では、無線伝送に必要な暗号化処理の暗号を復号する。後の処理は、蓄積装置２３０からの再生時の処理と同様である。
【００４８】
端子２０１あるいは端子２０２から非圧縮のベースバンド信号が入力された場合にも、蓄積装置２３０、メモリ２２１にコンテンツを効率よく蓄積することができる。以下、その場合の動作について説明する。
【００４９】
端子２０１から入力されたコンテンツは入出力インタフェース２０１１、暗号復号回路２１１、逆多重回路２５０を介して、映像信号と音声信号に分離される。分離された映像信号と音声信号は複製制御回路２８０を経て、圧縮回路２８１、２８２に入力される。複製制御回路２８０には入力されたコンテンツに多重された複製制御情報を読み取り、複製の可否判断をする。複製制御情報は、指定された部分にビットを割り当てる場合や、電子透かし技術を用いて、映像情報あるいは音声情報そのものに多重することもできる。端子２０２に入力されたネットワークからの情報も上記と同様にして処理される。
【００５０】
圧縮回路２８１は、映像信号を例えばＭＰＥＧ２、ＭＰＥＧ４、ＡＶＣ／Ｈ．２６４などの圧縮方式を用いて圧縮する。また圧縮回路２８２では、音声信号を例えばＭＰＥＧオーディオなどの圧縮方式を用いて圧縮する。圧縮された映像信号、音声信号は多重回路２８３に入力され、多重された後、暗号／暗号復号回路に入力され、以下同様に蓄積装置２３０、メモリ２２１に蓄積することができる。これにより、著作権情報に従って、効率よくコンテンツを長時間録画することができる。
【００５１】
一方、端子２０２に入力されたインターネット等のネットワークからの信号は、無線変復調回路２０１６により復調され、伝送量割り当て制御回路２０１７、入出力インタフェース回路２０１２を介してマイクロプロセッサ２７９へ供給される。マイクロプロセッサ２７９は、ネットワークからの情報の種類を識別子、例えば所定のフォーマットにより圧縮された映像ストリームであれば、それを逆多重回路２４１及び伸張回路２４２，２４３等に供給し、これらの回路で前述したような処理が為された後に表示装置２６０に表示される。また必要に応じて音声出力装置２６１からネットワークで取得した音声情報を出力する。更にまた、ネットワークから取得された情報がアプリケーションプログラム、ＯＳ等の更新プログラムであれば、マイクロプロセッサ２７９で新規ソフトウェアの追加、格納処理及び／またはプログラムの更新処理を行う。尚、マイクロプロセッサ２７９の機能を、制御回路２０１３に持たせてマイクロプロセッサ２７９と制御回路２０１３とを一体化してもよい。
【００５２】
ここで、制御回路２０１３は、上述のように外部の映像機器１００から送られてきた映像情報の伝送量に対応して無線変復調回路２０１５の伝送量を可変制御するように、伝送量割り当て制御回路２０１７を制御している。一方、無線変復調回路２０１６の伝送量は、外部の映像機器１００からの映像情報を受信するための無線変復調回路２０１５の伝送量を優先的に割り当てているため、無線変復調回路２０１５の伝送量よりも相対的に低くなるように制御される。このように、この実施例では、外部映像機器１００からの映像情報を受信するための無線変復調回路２０１４の伝送量を、ネットワークとの通信を行う無線変復調回路１００２の伝送量よりも多く割り当てているので、限られた無線伝送のための帯域の範囲内において、外部映像機器１００からの高画質な映像情報を、その映像品質をおとさずに取得することができる。端子２０１に入力される無線信号の帯域と端子２０２に入力される無線信号の帯域は一定なので、端子１０１からの信号の帯域を拡大すると、端子２０１からの信号の帯域は減少することになり、ネットワークの通信の速度が若干おちることになる。しかしながら、ネットワークに使用する情報の交換は、映像機器１００から送信される映像情報に比べて少なく、ほとんど影響はない。
【００５３】
ここで、本実施形態の特徴的要件である、伝送量割り当て制御回路２０１７、無線変復調回路２０１５、２０１６について詳述する。無線変復調回路２０１５、２０１６は、それぞれＯＦＤＭ（直交周波数分割多重）方式による変復調を行う回路である。この例では、無線復変調回路２０１５は、外部映像機器からの映像情報及び音声情報を無線により受信し、また外部映像機器１００に対しデータや情報を無線により送信するための第１の無線通信部であり、映像表示装置２００との通信を行うインタフェース回路２０１１と伝送量割り当て制御回路２０１７を介して接続されている。一方、無線復変調回路２０１６は、インターネットや家庭内ネットワーク等のネットワークと接続（アクセス）して映像や音声、その他データなどの各種情報を無線により送受信送信するための第２の無線通信部であり、ネットワーク用のインタフェース回路２０１２と伝送量割り当て制御回路２０１７を介して接続されている。伝送量割り当て制御回路２０１７は、制御回路２０１３からの制御信号に応じて無線復変調回路２０１５及び無線復変調回路２０１６のそれぞれの変復調方式、周波数帯域、およびキャリア本数を可変することにより、対応する伝送容量を可変するものである。すなわち制御回路２０１３は、伝送量割り当て制御回路２０１７を制御することによって、各無線復変調回路による無線伝送量の配分を制御する。上記変復調方式、周波数帯域などのパラメータを可変することによる伝送量の変化の具体例として、図９に２つの方式による伝送量の相違を示す。
【００５４】
本実施例は、制御回路２０１３及び伝送量割り当て制御回路２０１７によって、外部映像機器１００から高画質な映像情報を無線により受信するための無線復変調回路２０１５の無線伝送量を、ネットワークと接続して通信する無線復変調回路２０１６の無線伝送量よりも優先して割り当てるように制御している。すなわち本実施例は、無線復変調回路２０１５の無線伝送量を無線復変調回路２０１６の無線伝送量よりも多くなるように割り当てているものである。例えば、無線復変調回路２０１５が映像機器１００から映像情報を受信し、これと同時に無線復変調回路２０１６がインターネットと接続してインターネット情報情報を受信している場合、制御回路２０１３はユーザに対して高画質な映像を常時提供できるように、無線復変調回路２０１５の伝送方式を例えば図９に示された「方式１」となるように制御する。一方、無線復変調回路２０１６に対しては、図９に示された「方式２」でインターネットと接続するように制御する。図９から明らかなように、方式１の伝送容量は１７Ｍｂｐｓで、方式２の伝送容量（５Ｍｂｐｓ）の３倍以上の伝送量を有している。これによって本実施例は、無線伝送における限られた伝送容量を映像機器１００との通信に多く割り当てるようにしているため、映像表示装置１００に表示される映像を視聴しているユーザは、常時高画質な映像を視聴することが可能となる。当然、上記の伝送量の可変制御は、図９に示される例に限られるものではない。
【００５５】
ここで、制御回路２０１３及び伝送量割り当て制御回路２０１７による２つの無線復変調回路２０１５、２０１６に対する伝送量の可変制御は、ユーザの指示に応答して実行するようにてもよい。例えば、無線復変調回路２０１６で図９の方式１によりインターネットから情報を取得中に、ユーザから無線復変調回路２０１５により映像情報を外部映像機器１００からに無線で受信するように指示が為された場合、制御回路２０１３は伝送量割り当て制御回路２０１７に対して制御信号を出力し、無線復変調回路２０１６を図９の方式１から方式２に変更するように制御するとともに、無線復変調回路２０１５を図９の方式１で通信するように制御する。また、無線復変調回路２０１５で受信される映像機器１００からの映像情報の精細度に応じて無線復変調回路２０１５の伝送量を可変制御するようにしてもよい。例えば無線復変調回路２０１５で受信される映像機器１００からの映像情報の精細度がＳＤ（６４０×４８０）からＨＤ（１９８０×１０８０）に切り替わった場合、制御回路２０１３は伝送量割り当て制御回路２０１７を制御し、無線復変調回路２０１５の伝送量を増加させるように可変制御する。このとき、無線復変調回路２０１６の伝送量の可変制御に連動して、無線復変調回路２０１６の伝送量を低下させるように可変制御することが好ましい。
【００５６】
上記無線復変調回路２０１５、２０１６の伝送量は、さらにＭＩＭＯ（多入力多出力）などの複数のアンテナを用いた通信技術を用いることにより可変制御することも可能である。
【００５７】
次に図８により、伝送量割り当て制御回路、無線変復調回路の他の例について説明する。図４は、伝送量割り当て制御に関係する部分についてのみ記載してあり、図１と同様の働きをする部分については、同じ記号を付している。
【００５８】
図８において、無線変復調回路９０１０、９０１１、９０１２、９０１３はそれぞれ固定の伝送容量をもつ変復調回路であり、伝送に用いる周波数帯域のみが異なるもので、それぞれ、例えば図１１に示されるように帯域Ａ、帯域Ｂ、帯域Ｃ、帯域Ｄを有している。また、端子９００６〜９００７は、それぞれ信号の入力端子であり、無線変復調回路９０１０〜９０１３にそれぞれ対応して設けられている。これらの無線変復調回路９０１０、９０１１、９０１２、９０１３を組み合わせることで、例えば、ある場合は、映像情報の伝送には、無線変復調回路９０１０、９０１１を用い、インターネットなどの通信には、無線変復調回路９０１２、９０１３をそれぞれ用いる。つまり、インタフェース回路２０１１は無線変復調回路９０１０、９０１１を利用して映像表示装置２００へ映像、音声情報を無線にて伝送し、インタフェース回路１３３は無線変復調回路９０１２、９０１３を利用してネットワークとの通信を行う。更にまた、広い伝送帯域が求められる、映像機器１００から高画質の映像情報（例えば解像度がＨＤの映像情報）を受信する場合には、映像情報の伝送には、無線変復調回路９０１０、９０１１、９０１２を割り当て、インターネットなどの通信には、無線変復調回路９０１３のみを割り当てる。つまり、インタフェース回路２０１１は無線変復調回路９０１０〜９０１２を利用して映像表示装置２００へ映像、音声情報を無線にて伝送し、インタフェース回路２０１２は無線変復調回路９０１３を利用してネットワークとの通信を行う。このようにすることで、高画質の映像情報を途切れさせることなく、伝送することが可能になると共に、インターネットとの通信も可能になるという効果がある。特に、放送信号は、放送局から送出する時間情報と、受信側の時間情報とを同期させて映出する必要があるが、本実施例によれば、映像情報の品質を落とすことなく、時間情報も管理させることが可能である。
【００５９】
ここで、ＨＤＭＩインタフェースについて、補足説明する。図７は、ＨＤＭＩインタフェースの一構成例を示しており、主として送信側と受信側とで構成されている。送信側は、送信部１６０１及び送信部１６０１を制御する送信側制御部１６０３を含んでおり、送信部１６０１は、映像信号（Y、Pb、Pr）と音声信号をエンコードし受信部１６０４へ出力するように構成されている。更に送信部１６０１はＴＭＤＳエンコード回路１６０２を含んでおり、映像信号（Y、Pb、Pr）と音声信号を、それぞれシリアル映像データとシリアル音声データに変換する。一方、受信側は、受信部１６０４及び受信部１６０４を制御する送信側制御部１６０６を含んでおり、受信部１６０４は、送信部１６０１から送られてきた映像データ、音声データをＴＭＤＳデコード１６０５によりＴＭＤＳデコードし、ベースバンドの映像データ、音声データを再生する。ＣＥＣライン１６０７は、機器用の制御信号を伝送する機器制御ラインを構成しており、またＤＤＣと呼ばれるディスプレイ仕様情報は、ＤＤＣライン１６０８を介して伝送される。また、受信側は送信側に対し、送信側機器と受信側機器とが接続されたことを示すＨＰＤ（Hot Plug Detect）信号１６０９が送信される。
【００６０】
ＨＤＭＩ規格では、伝送を行うために、機器間の相互認識を次の手順で行う。まず、ＤＤＣライン１６０８を利用し、物理アドレスを取得する。この物理アドレスとは、機器を区別するための識別番号である。そして、双方向接続であるＣＥＣバスを利用し、各機器間の双方向通信のための論理アドレスを取得する。論理アドレスとは、表示装置、記録装置などといった各機器のカテゴリを定義した識別情報である。
【００６１】
図５は、映像機器１００と映像表示装置２００との間の無線インタフェース１１の補足説明図である。図５において、映像機器１００、映像表示装置２００はそれぞれ図１等で説明したものと同一である。説明の簡便化のために、図８において、映像機器１００の構成要件については、無線のインタフェース回路１３３のみを記載してあり、その他の構成要件については図示していない。また、映像表示装置２００については無線の入出力インタフェース回路２０１２のみを記載してあり、その他の構成要件については図示していない。ここで、無線のインタフェース回路１３３、無線の入出力インタフェース回路２０１２は、共に双方向インタフェースである。
【００６２】
図５において、アンテナ８１、８４間、アンテナ８２、８５間はそれぞれ映像信号、音声信号、コンテンツの著作権保護や複製制限条件を示す制御信号を双方向伝送するためのチャネルである。これに対し、アンテナ８３、８６間のチャネルは、機器間制御信号を伝送するためのものである。また、ビット選択回路８１１、８１２は、映像信号、音声信号、コンテンツの著作権保護や複製制限条件を示す制御信号、機器間制御信号が入力される。上述した変復調方式について、ＱＰＳＫ変復調方式は、６４ＱＡＭ変復調方式に比して、伝送誤りに対する耐性が高い。一方、伝送効率については、６４ＱＡＭ変復調方式の方がＱＰＳＫ変復調方式よりも効率が高い。ここで、映像機器１００から映像表示装置２００へ、映像と音声と、これらに関連するコンテンツの著作権保護や複製制限条件を示す制御信号を送る場合について説明する。ここで、映像機器１００から映像表示装置２００へ情報を送信する方向を上りとし、逆に、映像表示装置２００から映像機器１００へ情報を送信する方向を下りとする。
【００６３】
映像機器１００が情報の送信を行うために、まず、搬送波検出回路（図示せず）により、伝送路の状態として、使用チャネルが既に他の機器が占有しているか否かを検出する。この搬送波検出は、所定の期間、所定の周波数帯に搬送波が存在するか否かを検出することにより行われる。搬送波検出回路が、他の機器がそのチャネルを使用していることを検出したときは、暫く時間を空け、再度、チャネルの空き状態を調べる。その後、当該チャネルが他の機器により使用されていないことを検出したときは、チャネルが空いたことを映像機器１００のマイクロプロセッサ１１５へ通知する。マイクロプロセッサ１１５は機器間制御信号として、チャネル使用要求信号をＱＰＳＫ変復調回路８０３から出力し、チャネルの使用権を確保する。次にマイクロプロセッサ１１５は、送信要求信号をビット選択回路８１１へ出力する。誤り制御回路８４３はこの送信要求信号に対し、誤り検出・訂正用の誤り制御ビットを付加しＱＰＳＫ変復調回路８０３へ送る。ＱＰＳＫ変復調回路８０３はＱＰＳＫ変調を行い、アンテナ８３を介し、映像表示装置２００へ無線信号を送信する。一方、映像表示装置２００は、アンテナ８６により受信した無線信号をＱＰＳＫ変復調回路８０６によりＱＰＳＫ復調し、誤り制御回路８４７により、誤り検出・訂正制御を行うことにより機器間制御信号を出力し、ビット選択回路８１２へ伝える。
【００６４】
映像表示装置２００の中のマイクロプロセッサは、受信した機器間制御信号を解読し、映像機器１００からの送信要求信号とともに、映像機器１００に関する機器カテゴリ情報（表示装置なのか記録装置なのか等のカテゴリを識別するための情報）、映像機器１００の機器識別番号を受け取る。映像表示装置２００の表示画面には、映像機器１００との接続を行うか否かの表示が行われるので、この表示をもとに、使用者は映像表示装置２００のリモコン等の入力機器を用いて、接続を許可する指示を出す。この後、映像機器１００と、映像表示装置２００との間で、互いの機器カテゴリ情報、互いの機器を識別するための識別番号などを交換し、コンテンツの著作権保護や複製制限条件を遵守するための情報交換を実行し、問題がない場合には互いの接続が許可される。ここで、互いの機器が入力専用機器である場合や、出力専用機器の場合など接続することに意味がない場合、また、コンテンツの著作権保護や複製制限条件に違反する場合などは接続処理を中止し、その旨の表示がそれぞれの機器に表示される。以下、コンテンツの著作権保護や複製制限条件に問題がない場合の説明を行う。
【００６５】
インタフェース回路１７２に入力された、映像信号と、音声信号と、これらに関連するコンテンツの著作権保護や複製制限条件を示す制御信号のうち、映像信号のＭＳＢから２ビットを選択し、その２ビットに対し、誤り制御回路８４１により、誤り検出・訂正用の制御ビットを付加し、ＱＰＳＫ変復調回路８０１へ送る。そしてこの信号に対し、ＱＰＳＫ変復調回路８０１はＱＰＳＫ変調し、アンテナ８１から無線信号を送出する。また、残りの３ビット目から８ビット目までのビットに対しては、誤り制御回路８４２により、誤り検出・訂正用の制御ビットを付加し、６４ＱＡＭ変復調回路８０２へ送る。そしてこの信号に対し、６４ＱＡＭ変復調回路８０２は、６４ＱＡＭ変調し、アンテナ８２から無線信号を送出する。
【００６６】
映像表示装置２００では、アンテナ８４により受信された信号に対し、ＱＰＳＫ変復調回路８０４は、ＱＰＳＫ復調し、誤り制御回路８４５により誤り制御を行った後、映像信号の上位２ビットをビット制御回路８１２へ出力する。アンテナ８５により受信された残りの信号に対し、６４ＱＡＭ変復調回路８０５は、６４ＱＡＭ復調し、誤り制御回路８４６により誤り制御を行った後、ビット制御回路８１２へ出力する。
【００６７】
ここで、機器間制御信号について説明する。機器間制御信号は、下り方向、すなわち映像表示装置２００から映像機器１００へ信号を送出する場合には、ビット選択回路８１２から、誤り制御回路８４７を介し、ＱＰＳＫ変復調回路８０６により変調してアンテナ８６から出力する。映像機器１００は、この信号を、アンテナ８３で受信し、ＱＰＳＫ変復調回路８３を介し、ＱＰＳＫ変復調回路８０３によりＱＰＳＫ復調し、そして誤り制御回路８４３により誤り検出・訂正を行った後、ビット選択回路８１１へ伝送する。反対に、機器間制御信号を上り方向、すなわち映像機器１００から映像表示装置２００へ信号を送出する場合には、ビット選択回路８１１から、誤り制御回路８４３を介し、ＱＰＳＫ変復調回路８０３により変調してアンテナ８３から出力する。映像表示装置２００は、この信号を、アンテナ８６で受信し、ＱＰＳＫ変復調回路８０６によりＱＰＳＫ復調し、そして誤り制御回路８４７により誤り検出・訂正を行った後、ビット選択回路８１２へ伝送する。このようにすることにより、システムを構築するうえで重要な機器間制御信号に対し、雑音が多い環境においても誤動作が少なくなるという効果がある。
【００６８】
本実施例の構成ではデジタル信号の上位２ビットについて、伝送レートは低いが耐雑音性能に優れた伝送を行うことが可能となる。つまり、映像信号の上位ビットの方が画質に与える影響が大きいことを利用し、映像信号のＭＳＢから順に２ビットを取り出し、これらの情報に対し、ＱＰＳＫ変調を用いた伝送路を割り当てて、画質の劣化を少なくするものである。ところで、映像より音声情報のほうが重要なシステムにおいては、音声信号の重要な（例えば上位）２ビットに対し、ＱＰＳＫ変調を用いた伝送路に割り当てることも可能である。
【００６９】
さらに、人間が画像を認識する場合、画面の水平方向の周波数成分と画面垂直方向の周波数成分の夫々について、低域成分に対し高域成分は、比較的気にならないという傾向がある。また、画面内で動く物体のうち、早い動きに対しては人間の眼がついていかないという傾向がある。これらの傾向を利用し、画面の水平方向について、低周波成分と高周波成分に分け、低周波成分に対してＱＰＳＫ変調を用い、高周波成分に対しては６４ＱＡＭ変調を用いるようにしてもよい。このようにすることにより、限られた伝送帯域の中で、重要な情報に対しての雑音耐性を高めるとともに、全体の伝送容量を確保することが可能となる。同様に、画面の垂直方向についても、低周波成分と高周波成分に分け、低周波成分に対してＱＰＳＫ変調を用い、高周波成分に対しては６４ＱＡＭ変調を用いるようにしてもよい。このようにすることにより、限られた伝送帯域の中で、重要な情報に対しての雑音耐性を高めるとともに、全体の伝送容量を確保することが可能となる。さらに、画面の水平方向に対する周波数成分の取り扱いと、垂直方向とに対する周波数成分の取り扱いとを組み合わせ、所望の重要な情報に対しての雑音耐性を高めることも可能である。
【００７０】
上述の説明では、誤り制御回路８４１、８４２、８４３は、誤り制御回路８４１、８４２、８４３に入力された夫々のビット対し、誤り制御情報を付加するように説明したが、誤り制御回路８４１、８４２、８４３に入力されたビットをまとめて一語として扱い、この一語に対し誤り制御情報を付加してもよい。このように構成すると、誤り制御回路が簡単になり構成しやすい。
【００７１】
なお、図５に示す実施例では暗号処理については詳細を説明していないが、暗号回路１７１とインタフェース回路１７２を組み合わせ、図６に示すように処理を行うこともできる。図６は、図５に示されたシステムにおいて暗号処理を行うための構成の一例を示しており、図６のシステムは、暗号／暗号復号回路８２１〜８２６、暗号処理を含むインタフェース回路８３０、８３１、誤り制御回路８４１、８４２、８４３、８４５、８４６、８４７を含んで構成される。
【００７２】
図６に示す例では図５の例と同様に、ビット選択回路８１１で所定のビットを選択し、それぞれのビットは誤り制御回路８４１、８４２により誤り制御を行った後、暗号／暗号復号回路８２１、８２２で暗号化処理され、ＱＰＳＫ変復調回路８０１、６４ＱＡＭ変復調回路８０２に入力される。また、ＱＰＳＫ変復調回路８０４、６４ＱＡＭ変復調回路８０５で復調された信号は、暗号／暗号復号回路８２４、８２５に入力され、それぞれ暗号復号された後、ビット選択回路８１２でビット合成される。このように処理することで、重要度に応じた信号処理が可能となり、重要な情報は誤りにくく、したがって画質劣化を少なくし効率よく伝送することが可能となる。
【００７３】
また、暗号／暗号復号回路８２１〜８２６に可逆符号を組み合わせることでさらに効率を上げた伝送が可能となる。例えば図６に示す例において、暗号／暗号復号回路８２１〜８２３で暗号処理を行う前に、例えば統計的性質を用いた可逆の算術符号により伝送すべきビットを削減してから、暗号化を行う。映像機表示装置２００では、暗号／暗号復号回路８２４〜８２６で暗号復号した後、暗号／暗号復号回路８２１〜８２３に対応した可逆符号の復号を行った後、誤り制御回路８４５〜８４７で誤り検出・訂正を行い、ビット選択回路８１２でビット合成する。可逆符号を組み合わせることで、伝送すべき情報の伝送レートを低減できるので、さらに効率よく伝送可能となる。
【００７４】
さらに、暗号化について補足説明する。全ての暗号回路に対して、ＡＥＳ１２８ビット暗号化処理を用いて処理すると、安全度が高い保護処理をすることが可能となる。このほか、コンテンツ暗号回路８２１に対しては、ＡＥＳ１２８ビット暗号化処理を用い、その他の暗号回路に対しては、ＤＥＳ暗号処理を用いると、システムとして重要なコンテンツ保護と、処理効率とのバランスがとれシステムを構成するのが容易になる。
【００７５】
また、さらに、機器間制御信号に従い、ベースバンド信号送信と圧縮信号送信とを切り替えられるように構成してもよい。このように構成すると、コンテンツ保護などの要求に応じて圧縮信号を送出する場合には、ＱＰＳＫ変調を用いて伝送することにより、伝送路における誤り耐性の優れた伝送が可能となる。また、ベースバンド信号を送出する場合には、６４ＱＡＭ変調により伝送効率の良い伝送が可能となる。
【００７６】
図６における映像機器１００と映像表示装置２００との動作は、図５における映像機器１００と映像表示装置２００との動作と基本的に同様である。映像機器１００が送信を行うために、まず、搬送波検出回路（図示せず）により、伝送路の状態として、使用チャネルが既に他の機器が占有しているか否かを検出する。この搬送波検出は、所定の期間、所定の周波数帯に搬送波が存在するか否かを検出することにより、検出が行われる。搬送波検出回路が、他の機器がそのチャネルを使用していることを検出したときは、暫く時間を空け、再度、チャネルの空き状態を調べる。その後、当該チャネルが他の機器により使用されていないことを検出したときは、チャネルが空いたことを映像機器１００のマイクロプロセッサ１１５へ通知する。マイクロプロセッサ１１５は機器間制御信号として、チャネル使用要求信号をＱＰＳＫ変復調回路８０３から出力し、チャネルの使用権を確保する。次にマイクロプロセッサ１１５は、送信要求信号をビット選択回路８１１へ出力する。
【００７７】
誤り制御回路８４３はこの送信要求信号に対し、誤り検出・訂正用の誤り制御ビットを付加し、暗号／暗号復号回路８２３により暗号化し、ＱＰＳＫ変復調回路８０３へ送る。ＱＰＳＫ変復調回路８０３はＱＰＳＫ変調を行い、アンテナ８３を介し、映像表示装置２００へ無線信号を送信する。一方、映像表示装置２００は、アンテナ８６により受信した無線信号をＱＰＳＫ変復調回路８０６によりＱＰＳＫ復調し、暗号／暗号復号回路８２６により暗号復号する。この復号化された信号に対し、誤り制御回路８４７により、誤り検出・訂正制御を行うことにより機器間制御信号を出力し、ビット選択回路８１２へ伝える。映像表示装置２００の中のマイクロプロセッサは、受信した機器間制御信号を解読し、映像機器１００からの送信要求信号とともに、映像機器１００に関する機器カテゴリ情報（表示装置なのか記録装置なのか等のカテゴリを識別するための情報）、映像機器１００の機器識別番号を受け取る。映像表示装置２００の表示画面には、映像機器１００との接続を行うか否かの表示が行われるので、この表示をもとに、使用者は映像表示装置２００のリモコン等の入力機器を用いて、接続を許可する指示を出す。この後、映像機器１００と、映像表示装置２００との間で、互いの機器カテゴリ情報、互いの機器を識別するための識別番号などを交換し、コンテンツの著作権保護や複製制限条件を遵守するための情報交換を実行し、問題がない場合には互いの接続が許可される。ここで、互いの機器が入力専用機器である場合や、出力専用機器の場合など接続することに意味がない場合、また、コンテンツの著作権保護や複製制限条件に違反する場合などは接続処理を中止し、その旨の表示がそれぞれの機器に表示される。このようにして、コンテンツの著作権保護や複製制限条件に問題がない場合には接続が行われ、映像機器１００から映像表示装置２００へ映像や音声などが伝送される。
【実施例２】
【００７８】
図３は本発明の第２実施例であって、図１に示す映像表示装置２００の他の構成を示す図である。図３は一部図２に示す実施例と共通であり、その共通部分には同一番号を付しその詳細説明は省略する。図３に示された映像表示装置２００は、暗号復号回路２１２、暗号／暗号復号回路２４５、２９０、圧縮／トランスコーディング回路２９１、２９２、及び多重回路である複製制御回路２９３を含んでいる。
【００７９】
図３に示す実施例において、ベースバンド信号が端子２０１あるいは端子２０２から入力された場合には、図２に示す実施例と同様に動作する。圧縮／トランスコーディング回路２９２、２９１は、ベースバンド信号に対しては圧縮回路として動作する。圧縮された信号が端子２０１あるいは端子２０２から入力された場合には、入出力インタフェース２１０を介して暗号復号回路２１２で伝送に必要な暗号が復号され、逆多重回路２５０で圧縮された映像信号と圧縮された音声信号に分離される。それぞれの信号は複製制御回路２９０に入力され、複製の可否を示す情報から複製の可否が判断される。複製が可能な場合には、必要に応じて、圧縮／トランスコーディング回路２９１、２９２にて、より圧縮効率の良い圧縮方式を用いるなどして、圧縮映像信号及び圧縮音声信号のビットレートが低減される。圧縮／トランスコーディング回路２９１、２９２の出力信号は多重回路２９３で多重され、暗号／暗号復号回路２４５に入力される。ここで、複製制御回路２９０にて複製を許可されていることが検出された場合には、暗号／暗号復号回路２４５は、当該入力信号に対し適宜蓄積のための暗号化処理を施して、蓄積装置２３０及び／またはメモリ２２１に蓄積する。蓄積された信号を再生する場合には、蓄積装置２３０、メモリ２２１からの再生信号を暗号／暗号復号回路２４５にて暗号を復号して、逆多重回路２４１にて映像信号と音声信号に分離し、これ以降は上記と同様に処理して視聴することができる。蓄積装置２３０あるいはメモリ２２１に蓄積しながら視聴する場合にも、多重回路２９３からの信号が暗号／暗号復号回路２４５を介して逆多重回路２４１に入力され、同様に処理される。この場合には、トランスコードした画質を確認することができる。なお、蓄積をすることなく直接視聴する場合には、暗号復号回路２１２から暗号／暗号復号回路２４５を介して逆多重回路２４１に信号が入力され、ここで映像信号と音声信号に分離され以下同様に処理される。
【００８０】
図３に示す実施例では、圧縮された信号が入力された場合にも、トランスコーディングを行うことで、より高い圧縮率で効率よく蓄積を行うことができる。また、本実施例では、圧縮回路１１１、１１３を初め、信号処理をする手段を回路で実現する場合の例を示した。しかしながら、各種回路要素をソフトウェア的な手段で構成して上述した処理を行ってもよく、その場合でも同様の効果をあげることができる。本発明は、信号処理をどのように実現するかを制限するものではない。
【図面の簡単な説明】
【００８１】
【図１】本発明の実施形態を係る映像機器１００の一例を示す図。
【図２】本発明の実施形態に係る映像表示装置２００の一例を示す図。
【図３】本発明の実施形態に係る映像表示装置２００の他の一例を示す図
【図４】映像機器１００における無線複変調回路の他の例を示す図。
【図５】２つの映像機器同士を無線接続したシステムの一例を示す図。
【図６】２つの映像機器同士を無線接続したシステムの他の例を示す図。
【図７】ＨＤＭＩインタフェースの一構成例を示す図。
【図８】映像表示装置２００における無線複変調回路の他の例を示す図。
【図９】本実施例における無線変復調回路の伝送パラメータの一例を示す
【図１０】本発明の実施形態を係る映像機器１００と映像表示装置２００との接続を示す図。
【図１１】図４及び図８に示した無線変復調回路の他の例における帯域割り当ての一例を示す図。
【符号の説明】
【００８２】
１００    映像機器
１２１、２２１、３２１    メモリ
１２２、２２２    無線インタフェース
１１０    撮像装置
１１１、１１３、２８１、２８２、２９１、２９２    圧縮回路
１１２    マイク
１１４    センサ
１１６、１７０、２８３、２９３    多重回路
１２４、１５０、１５１、２２４、２５１、２５２    信号処理回路
１３０、２３０    蓄積装置
１４０、２４０、２４５    暗号／暗号復号回路
１４１、２５０、２４１    逆多重回路
１４２、１４３、２４２、２４３    伸張回路
１６０    表示装置
１６１、２７０    音声出力装置
１７１    暗号回路
１８０    放送受信機
２００    映像表示装置
２１１、２１２    暗号復号回路
２６０    ディスプレイ
２８０    複製制御回路
３００    受信機
【図１】
0005033598.tif 000002
【図２】
0005033598.tif 000003
【図３】
0005033598.tif 000004
【図４】
0005033598.tif 000005
【図５】
0005033598.tif 000006
【図６】
0005033598.tif 000007
【図７】
0005033598.tif 000008
【図８】
0005033598.tif 000009
【図９】
0005033598.tif 000010
【図１０】
0005033598.tif 000011
【図１１】
0005033598.tif 000012